(57)【特許請求の範囲】
【請求項１】
商品運搬のためのコンベヤを制御する方法であって、
複数の目的地に関連した情報を獲得する段階と、
前記獲得された情報に基づいて、前記複数の目的地のそれぞれに対する加重値およびカウンタ値を確認する段階と、
商品が確認されたことに対応して、前記複数の目的地のそれぞれに対する前記確認された加重値および前記カウンタ値に基づいて、前記複数の目的地のうち前記商品の配置が行われる目的地を決定する段階と、
前記決定された目的地に前記商品が運搬されるように前記コンベヤを制御する段階と、
を含み、
前記カウンタ値は、前記カウンタ値に対応する目的地に商品の運搬が確認されたことに対応して増加し、
前記決定された目的地の加重値は、前記決定された目的地に対する前記商品の運搬に対応して変更される、方法。
【請求項２】
前記複数の目的地のそれぞれには、商品が配置される配置空間が割り当てられ、
前記複数の目的地に関連した情報は、前記複数の目的地のそれぞれに割り当てられた作業者の数、前記複数の目的地それぞれの配置空間のサイズ、前記複数の目的地別の目的地と配置空間との距離、および前記複数の目的地それぞれの位置のうちの、少なくとも１つに関する情報を含む、請求項１に記載の方法。
【請求項３】
前記加重値および前記カウンタ値を確認する段階は、
前記獲得された情報に基づいて、前記複数の目的地のそれぞれに割り当てられた作業者の数を確認する段階と、
前記作業者の数に比例して前記複数の目的地のそれぞれに対する加重値を決定する段階と、を含む、請求項１に記載の方法。
【請求項４】
前記加重値および前記カウンタ値を確認する段階は、
前記獲得された情報に基づいて、前記複数の目的地それぞれの配置空間のサイズを確認する段階と、
前記確認された配置空間のサイズに比例して前記複数の目的地のそれぞれに対する加重値を決定する段階と、を含む、請求項１に記載の方法。
【請求項５】
前記加重値および前記カウンタ値を確認する段階は、
前記獲得された情報に基づいて、前記複数の目的地のそれぞれの位置を確認する段階と、
前記確認された位置と前記商品の入庫位置との距離、または前記確認された位置と前記商品の出庫位置との距離に基づいて、前記複数の目的地のそれぞれに対する加重値を決定する段階と、を含む、請求項１に記載の方法。
【請求項６】
前記複数の目的地のそれぞれには、商品が配置される配置空間が割り当てられ、
前記加重値および前記カウンタ値を確認する段階は、
前記獲得された情報に基づいて、前記複数の目的地別に前記割り当てられた配置空間との距離を確認する段階と、
前記確認された距離に反比例して加重値を決定する段階と、を含む、請求項１に記載の方法。
【請求項７】
前記目的地を決定する段階は、
前記複数の目的地のうち加重値が最も高い目的地を、前記商品の配置が行われる目的地として決定する段階を含む、請求項１に記載の方法。
【請求項８】
前記目的地を決定する段階は、
前記複数の目的地間の加重値を比較した結果、ならびに前記複数の目的地のそれぞれに対して加重値およびカウンタ値を比較した結果に基づいて、前記商品の配置が行われる目的地を決定する段階を含む、請求項１に記載の方法。
【請求項９】
前記目的地を決定する段階は、
前記複数の目的地のうち、加重値がカウンタ値より高い目的地でかつ最も高い加重値を有する目的地を、前記商品の配置が行われる目的地として決定する段階を含む、請求項１に記載の方法。
【請求項１０】
前記目的地を決定する段階は、
前記複数の目的地のうち最も高い加重値を有する第１目的地のカウンタ値が前記第１目的地の加重値と同一である場合、前記第１目的地の次に加重値が高い第２目的地を確認する段階と、
前記第２目的地の加重値がカウンタ値より高い場合、前記第２目的地を前記商品の配置が行われる目的地として決定する段階を含む、請求項１に記載の方法。
【請求項１１】
前記商品の配置が可能な複数の区域のうちの１つの区域を選択する入力を受信する段階と、
前記入力の受信に対応して、前記選択された１つの区域に含まれた前記複数の目的地を確認する段階と、をさらに含む、請求項１に記載の方法。
【請求項１２】
前記商品は、互いに異なる種類の複数の商品を含む、請求項１に記載の方法。
【請求項１３】
前記商品に関する情報を獲得する段階をさらに含み、
前記加重値を確認する段階は、
前記複数の目的地に関連した情報および前記商品に関する情報のうちの少なくとも1つに基づいて、前記複数の目的地のうち前記商品に関連した目的地を決定し、前記決定された目的地に対する加重値を確認する段階を含む、請求項１に記載の方法。
【請求項１４】
前記商品に関する情報は、前記商品のサイズに関する情報を含み、
前記商品に関連した目的地は、前記複数の目的地のうち前記商品のサイズより大きい配置空間を有する目的地を含む、請求項１３に記載の方法。
【請求項１５】
商品運搬のためのコンベヤを制御する電子装置であって、
少なくとも１つの命令語を保存するメモリと、
前記少なくとも１つの命令語を実行して、
複数の目的地に関連した情報を獲得し、
前記獲得された情報に基づいて、前記複数の目的地のそれぞれに対する加重値およびカウンタ値を確認し、
商品が確認されたことに対応して、前記複数の目的地のそれぞれに対する前記確認された加重値および前記カウンタ値に基づいて、前記複数の目的地のうち前記商品の配置が行われる目的地を決定し、
前記決定された目的地に前記商品が運搬されるように前記コンベヤを制御するプロセッサーと、を含み、
前記カウンタ値は、前記カウンタ値に対応する目的地に商品の運搬が確認されたことに対応して増加し、
前記決定された目的地の加重値は、前記決定された目的地に対する前記商品の運搬に対応して変更される、電子装置。
【請求項１６】
請求項１〜１４のいずれか一項に記載の方法をコンピュータで実行させるためのプログラムを記録したコンピュータ可読記録媒体。
【発明の詳細な説明】
【技術分野】
【０００１】
本開示は、商品運搬のためのコンベヤを制御する方法およびそのための電子装置に関する。
【背景技術】
【０００２】
物流センターは、商品の迅速な配送のために一時的または長期的に商品を保管する施設である。電子商取引の活性化に伴い、物流センターの必要が増加しており、さらには、物流センターのより効果的な使用のための方案に対する要求が増加している。
【０００３】
このような要求に対応して、最近、物流センターに物流プロセスの自動化システムが普及されている。このような自動化システムは、物流センター内商品の配置のために設けられた複数の目的地のそれぞれに商品が均等に分配されるようにすることができる。
【０００４】
一方、自動化システムを利用し、且つ複数の目的地のうちの一部に対する商品の分配を相異するようにするためには、管理者が手動で商品を分配しなければならない。このような場合、商品の配置に多くの時間がかかり、より効率的に複数の目的地に商品を分配するための方案が要求される。
【発明の概要】
【発明が解決しようとする課題】
【０００５】
本実施形態が解決しようとする課題は、物流センター内商品の配置のために設けられる複数の目的地のそれぞれに商品をより効率的に運搬するようにコンベヤを制御する方法およびそのための電子装置を提供することにある。本実施形態が達成しようとする技術的課題は、前述したような技術的課題に限定されず、以下の実施形態からさらに他の技術的課題が類推され得る。
【課題を解決するための手段】
【０００６】
第１実施形態によって、商品運搬のためのコンベヤを制御する方法は、複数の目的地に関連した情報を獲得する段階と、前記獲得された情報に基づいて、前記複数の目的地のそれぞれに対する加重値を確認する段階と、商品を確認することに対応して、前記確認された加重値に基づいて、前記複数の目的地のうち前記商品の配置が行われる目的地を決定する段階と、前記決定された目的地に前記商品が運搬されるように前記コンベヤを制御する段階と、を含むことができる。
【０００７】
第２実施形態によって、商品運搬のためのコンベヤを制御する電子装置は、少なくとも１つの命令語（ｉｎｓｔｒｕｃｔｉｏｎｓ）を保存するメモリと、前記少なくとも１つの命令語を実行して、複数の目的地に関連した情報を獲得し、前記獲得された情報に基づいて、前記複数の目的地のそれぞれに対する加重値を確認し、商品を確認することに対応して、前記確認された加重値に基づいて、前記複数の目的地のうち前記商品の配置が行われる目的地を決定し、前記決定された目的地に前記商品が運搬されるように前記コンベヤを制御するプロセッサーとを含むことができる。
【０００８】
第３実施形態によって、コンピュータで読み取り可能な記録媒体は、商品運搬のためのコンベヤを制御する方法をコンピュータで実行させるためのプログラムを記録した非一時的な記録媒体であって、方法は、複数の目的地に関連した情報を獲得する段階と、前記獲得された情報に基づいて、前記複数の目的地のそれぞれに対する加重値を確認する段階と、商品を確認することに対応して、前記確認された加重値に基づいて、前記複数の目的地のうち前記商品の配置が行われる目的地を決定する段階と、前記決定された目的地に前記商品が運搬されるように前記コンベヤを制御する段階とを含むことができる。
【０００９】
その他実施形態の具体的な事項は、詳細な説明および図面に含まれている。
【発明の効果】
【００１０】
本開示によれば、コンベヤを制御する方法およびそのための電子装置は、複数の目的地に関連した情報に基づいて、商品を複数の目的地のそれぞれに運搬できるところ、商品の配置がより効率的に行われるようにすることができる。例えば、コンベヤを制御する方法およびそのための電子装置は、目的地にマッチングされる配置空間のサイズに対応して目的地に商品が運搬されるようにすることによって、商品がより効率的に配置されるようにすることができる。
【００１１】
また、コンベヤを制御する方法およびそのための電子装置は、複数の目的地のそれぞれに対する商品の運搬を相異するように設定できるところ、商品の運搬を効果的に制御することができる。例えば、コンベヤを制御する方法およびそのための電子装置は、ユーザの入力に基づいて、複数の目的地のそれぞれに対する商品の運搬を自動で制御することによって、ユーザの商品運搬に対する便宜を向上させることができる。
【００１２】
発明の効果は、以上で言及した効果に制限されず、言及されていないさらに他の効果は、請求範囲の記載から当該技術分野における通常の知識を有する者に明確に理解され得る。
【図面の簡単な説明】
【００１３】
【図１】物流センターの物流プロセスに対する概念図である。
【図２】一実施形態に係るコンベヤを制御する方法を説明するための図である。
【図３】一実施形態に係る電子装置のブロック図である。
【図４】一実施形態に係るコンベヤを制御する方法のフローチャートである。
【図５】他の実施形態に係るコンベヤを制御する方法のフローチャートである。
【図６】さらに他の実施形態に係るコンベヤを制御する方法のフローチャートである。
【図７】一実施形態に係るコンベヤを制御する方法において目的地を決定する段階を説明するための図である。
【図８】一実施形態に係るコンベヤを制御する方法において目的地を決定する段階を説明するための図である。
【図９】一実施形態に係る電子装置において加重値設定のために表示されるＵＩ（ｕｓｅｒ  ｉｎｔｅｒｆａｃｅ）を示す図である。
【図１０】一実施形態に係る電子装置において加重値設定のために表示されるＵＩ（ｕｓｅｒ  ｉｎｔｅｒｆａｃｅ）を示す図である。
【図１１】一実施形態に係る電子装置において目的地に関連した情報の獲得のために表示されるＵＩを示す図である。
【図１２】一実施形態に係る電子装置により運搬される商品の区域選択のために他の電子装置に表示されるＵＩを示す図である。
【図１３】他の実施形態に係る電子装置において運搬される商品の区域選択のために表示されるＵＩを示す図である。
【発明を実施するための形態】
【００１４】
実施形態において使用される用語は、本開示での機能を考慮しつつ、できるだけ現在広く使用される一般的な用語を選択したが、これは、当分野に従事する技術者の意図または判例、新しい技術の出現等によって変わり得る。また、特定の場合は、出願人が任意に選定した用語もあり、この場合、該当する説明の部分で詳細にその意味を記載する。したがって、本開示において使用される用語は、単純な用語の名称でなく、その用語が有する意味と本開示の全般にわたる内容に基づいて定義されなければならない。
【００１５】
明細書全体において任意の部分が或る構成要素を「含む」というとき、これは、特に反対になる記載がない限り、他の構成要素を除外するものではなく、他の構成要素をさらに含むことができることを意味する。
【００１６】
明細書全体において記載された「ａ、ｂ、およびｃのうちの少なくとも１つ」の表現は、「ａ単独」、「ｂ単独」、「ｃ単独」、「ａおよびｂ」、「ａおよびｃ」、「ｂおよびｃ」、または「ａ、ｂ、およびｃ全部」を包括することができる。
【００１７】
以下で言及される「端末」は、ネットワークを介してサーバーや他の端末に接続できるコンピュータや携帯用端末で具現され得る。ここで、コンピュータは、例えば、ウェブブラウザ（ＷＥＢ  Ｂｒｏｗｓｅｒ）が搭載されたノートパソコン、デスクトップ（ｄｅｓｋｔｏｐ）、ラップトップ（ｌａｐｔｏｐ）等を含み、携帯用端末は、例えば、携帯性と移動性が確保される無線通信装置であり、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）、ＣＤＭＡ（登録商標）（Ｃｏｄｅ  Ｄｉｖｉｓｉｏｎ  Ｍｕｌｔｉｐｌｅ  Ａｃｃｅｓｓ）、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）等の通信基盤端末、スマートフォン、タブレットＰＣ等のようなすべての種類のハンドヘルド（Ｈａｎｄｈｅｌｄ）基盤の無線通信装置を含むことができる。
【００１８】
以下では、添付の図面を参照して本開示の実施形態について本開示の属する技術分野における通常の知識を有する者が容易に実施できるように詳細に説明する。しかしながら、本開示は、様々な異なる形態で具現され得、ここで説明する実施形態に限定されない。
【００１９】
以下では、図面を参照して本開示の実施形態を詳細に説明する。
【００２０】
図１は、物流センターの物流プロセスに対する概念図である。
【００２１】
図１を参照すると、物流センターの物流プロセスは、入庫段階１０１、配置段階１０２、および出庫段階１０３を含むことができる。入庫段階１０１は、物流センターに配置される商品が物流センターに到着する段階を含むことができる。配置段階１０２は、商品が物流センター内の配置空間に運搬されて配置される段階を含むことができる。出庫段階１０３は、出庫対象となる商品が配送のために物流センターから取り出される段階を含むことができる。
【００２２】
本開示の実施形態に係るコンベヤを制御する方法および電子装置は、入庫段階１０１から配置段階１０２までの過程に関連することができる。より具体的には、本開示の実施形態に係るコンベヤを制御する方法および電子装置は、物流センター内の配置空間に配置されるための商品が入庫される段階から配置空間ごとにあらかじめ指定されている目的地に商品を運搬するまでの過程に関連することができる。
【００２３】
一方、図１の物流プロセスは、本実施形態の説明のための概念的なものであり、物流プロセスの実施様態によって各段階（例：入庫段階１０１、配置段階１０２、出庫段階１０３）は、他の用語で称されたり、各段階の少なくとも一部の前後に他の段階が追加されることも可能である。
【００２４】
また、本開示を通じて使用される物流センターという用語は、本実施形態による電子装置により制御されるコンベヤを含んで商品が配置される配置空間等を含む特定の空間を称する用語であり、このような用語によって本開示による実施形態が制限されないことを明らかにする。
【００２５】
図２は、一実施形態に係るコンベヤを制御する方法を説明するための図である。具体的には、図２は、配置空間（例：第１配置空間２２１）に対応する目的地（例：第１目的地２１１）に商品が運搬されるフローを概念的に示す図である。
【００２６】
図２を参照すると、コンベヤ２００は、複数の商品を運搬することができる。コンベヤ２００は、例えばコンベヤベルトを含むことができ、このような場合、複数の商品のそれぞれは、コンベヤベルト上に位置した後、コンベヤベルトの動きに対応して移動することができる。
【００２７】
コンベヤ２００は、複数の目的地（例：第１目的地２１１、第２目的地２１３、第３目的地２１５）と連結されて、複数の目的地のそれぞれに商品を運搬することができる。すなわち、複数の商品のそれぞれは、コンベヤ２００により複数の目的地のうちのいずれか１つに運搬され得る。例えば、第１商品２０１は、コンベヤ２００により第１目的地２１１に運搬され得る。
【００２８】
複数の目的地のそれぞれには、配置空間（例：第１配置空間２２１、第２配置空間２２３、第３配置空間２２５）が指定され得る。このような場合、目的地別に指定された配置空間に目的地に運搬された商品が配置され得る。例えば、第１目的地２１１には、第１配置空間２２１が指定され得、このような場合、第１目的地２１１に運搬された商品は、第１配置空間２２１に配置され得る。
【００２９】
実施形態において、第１目的地２１１に運搬された商品は、本開示の実施形態に係る電子装置により第１配置空間２２１に配置され得る。しかしながら、これに制限されるものではなく、ユーザにより目的地２１１に運搬された商品が第１配置空間２２１に配置されることも可能である。
【００３０】
実施形態において、複数の目的地別に指定された配置空間のうちの少なくとも一部のサイズは、異なっていてもよい。例えば、第１配置空間２２１のサイズと第２配置空間２２３のサイズは、異なっていてもよい。このような場合、サイズがより大きい配置空間に、より多くの商品が配置され得る。
【００３１】
実施形態において、目的地と配置空間との間には、距離が存在し得る。例えば、目的地と配置空間は、所定の距離以上で離隔していてもよい。複数の目的地のうちの少なくとも一部に対する配置空間どうしの離隔距離は、同じであってもよく、異なっていてもよく、このような例に本実施形態が制限されるものではない。また、場合によって、目的地と配置空間とは連結されていてもよい。
【００３２】
実施形態において複数の目的地のそれぞれには、目的地に運搬される商品の管理のための作業者が配置され得る。配置される作業者の数は、あらかじめ決定されていてもよい。例えば、第１目的地２１１には、２人の作業者が割り当てられ、第２目的地２１３には、３人の作業者が割り当てられる。
【００３３】
本実施形態に係る電子装置は、配置空間に商品が配置され得るように、商品を複数の目的地のうちの１つに運搬させるコンベヤ２００を制御することができる。より具体的には、電子装置は、複数の目的地に関連した情報を獲得し、獲得した情報に基づいて、複数の目的地のうち商品が運搬される目的地を決定することができる。電子装置は、目的地の決定に対応して商品が決定された目的地に運搬されるようにコンベヤ２００を制御することができる。
【００３４】
実施形態において、コンベヤ２００により運搬される商品は、電子装置と連結される他の電子装置（例：ユーザ端末）を介して認識された後、コンベヤ２００による運搬が行われ得る。例えば、ユーザ端末は、商品に含まれるバーコードを用いて商品を認識し、認識された商品に関する情報を電子装置に伝送することができる。このような場合、電子装置は、ユーザ端末から商品に関する情報を受信することができ、情報の受信に対応して複数の目的地に関連した情報に基づいて、商品が運搬される目的地を決定することができる。電子装置は、目的地が決定されると、決定された目的地に商品が運搬されるようにすることができる。
【００３５】
電子装置は、順次に入庫される商品のそれぞれに対して上述したようにコンベヤ２００を制御することができる。これにより、商品は、複数の目的地に関連した情報に基づいて、複数の目的地のうちの１つに適切に運搬され得る。
【００３６】
一方、実施形態によって物流センター内には、複数の区域が含まれ得、複数の区域のうちの少なくとも１つは、図２のように構成され得る。このような場合、図２は、物流センターの複数の区域のうちの１つを示す概念図に対応することができる。
【００３７】
図３は、一実施形態に係る電子装置のブロック図である。
【００３８】
図３を参照すると、電子装置３００は、メモリ３１０およびプロセッサー３２０を含む。実施形態によって、メモリ３１０およびプロセッサー３２０のそれぞれは、少なくとも１つの機能や動作を処理する単位を意味し、ハードウェアやソフトウェア、またはハードウェアおよびソフトウェアの結合で具現され得る。
【００３９】
また、実施形態によって電子装置３００は、サーバーで具現され得る。このような場合、電子装置３００は、他の電子装置、例えばユーザ端末と連結されて情報を送受信することによって多様な動作を行うことができる。
【００４０】
一方、図３には、本実施形態に関連した構成要素が示されている。したがって、図３に示された構成要素以外に他の汎用的な構成要素がさらに含まれ得ることを本実施形態に関連した技術分野における通常の知識を有する者なら理解することができる。
【００４１】
メモリ３１０は、電子装置３００に関連した多様なデータを保存することができる。一例として、メモリ３１０は、後述するプロセッサー３２０の動作のための少なくとも１つの命令語（ｉｎｓｔｒｕｃｔｉｏｎ）を保存することができる。しかしながら、これに制限されるものではなく、例えば、電子装置３００で駆動される多数の応用プログラム（またはアプリケーション）に関連したデータを保存することができる。
【００４２】
プロセッサー３２０は、電子装置３００の全般的な動作を制御し、電子装置３００に関連したデータおよび信号を処理することができる。プロセッサー３２０は、メモリ３１０に保存された少なくとも１つの命令語を実行して、後述する多様な動作を実行することができる。
【００４３】
プロセッサー３２０は、複数の目的地に関連した情報を獲得することができる。目的地は、物流センター内の配置空間に商品を配置するために、配置空間に隣接して位置する特定地点を含むことができる。すなわち複数の目的地のそれぞれには、商品が配置される配置空間が割り当てられ、これに基づいて目的地に運搬された商品は、配置空間に配置され得る。
【００４４】
複数の目的地に関連した情報は、複数の目的地のそれぞれに割り当てられた作業者の数、複数の目的地のそれぞれの配置空間のサイズ、複数の目的地別の目的地と配置空間との距離、および複数の目的地それぞれの位置のうちの、少なくとも１つに関する情報を含むことができる。
【００４５】
実施形態において、複数の目的地に関連した情報のうちの少なくとも一部は、ユーザから入力されることも可能であり、あらかじめ指定されてメモリ３１０にあらかじめ保存されることも可能である。例えば、複数の目的地のそれぞれに割り当てられた作業者の数、複数の目的地それぞれの配置空間のサイズおよび複数の目的地別の目的地と配置空間との距離は、ユーザから入力され得る。複数の目的地のそれぞれの位置は、メモリ３１０にあらかじめ保存され得る。
【００４６】
実施形態において、複数の目的地に関連した情報のうちの少なくとも一部がユーザから入力される場合、プロセッサー３２０は、入力のためのＵＩ（ｕｓｅｒ  ｉｎｔｅｒｆａｃｅ）を提供することができ、これに関連した例は、図１１を参照することができる。
【００４７】
プロセッサー３２０は、複数の目的地のそれぞれに対する加重値を確認することができる。具体的には、プロセッサー３２０は、複数の目的地に関連した情報に基づいて、複数の目的地のそれぞれに対する加重値を確認することができる。
【００４８】
実施形態において、プロセッサー３２０は、複数の目的地に関連した情報に基づいて、複数の目的地のそれぞれに割り当てられた作業者の数を確認することができる。プロセッサー３２０は、作業者の数に比例して複数の目的地のそれぞれに対する加重値を決定することができる。
【００４９】
例えば、第１目的地に割り当てられた作業者の数が２人であり、第２目的地に割り当てられた作業者の数が４人である場合、第１目的地に対する加重値を１に決定し、第２目的地に対する加重値を２に決定することができる。このような場合、作業者の数が多い目的地に、より多くの商品が運搬されることによって、商品配置の効率が向上することができる。
【００５０】
実施形態において、プロセッサー３２０は、複数の目的地に関連した情報に基づいて、複数の目的地のそれぞれの配置空間のサイズを確認することができる。プロセッサー３２０は、確認された配置空間のサイズに比例して複数の目的地のそれぞれに対する加重値を決定することができる。ここで、配置空間のサイズは、例えば配置空間の面積、配置空間の体積または配置空間に含まれた仕切りの数（配置空間が複数の仕切りを含む場合）を含むことができる。これにより、配置空間のサイズは、特定単位（例：平方メートル（ｍ２）、立方メートル（ｍ３）、個）で示される。ただし、これに制限されるものではなく、単位なしにサイズを表現する数字（例：１、２）の形態で示されることも可能である。
【００５１】
例えば、第１目的地に割り当てられた配置空間のサイズが１ｍ２であり、第２目的地に割り当てられた配置空間のサイズが２ｍ２である場合、第１目的地に対する加重値を１に決定し、第２目的地に対する加重値を２に決定することができる。このような場合、配置空間がさらに大きい目的地に、より多くの商品が運搬されることによって、商品配置の効率が向上することができる。
【００５２】
実施形態によって、配置空間の少なくとも一部には、商品があらかじめ配置されていてもよい。このような場合、配置空間のサイズは、配置空間内の空いている領域に対するサイズで示される。このような場合、プロセッサー３２０は、配置空間に配置されるセンサーを介して獲得される値に基づいて、配置空間内の空いている領域に対するサイズに関する情報を獲得することができる。しかしながら、これに制限されるものではなく、空いている領域に対するサイズは、多様な方式、例えばユーザの入力で獲得されることも可能である。
【００５３】
実施形態において、プロセッサー３２０は、複数の目的地に関連した情報に基づいて、複数の目的地別に割り当てられた配置空間との距離を確認することができる。プロセッサー３２０は、確認された距離に反比例して加重値を決定することができる。
【００５４】
例えば、プロセッサー３２０は、第１目的地と第１目的地に割り当てられた第１配置空間との距離が１ｍであり、第２目的地と第２目的地に割り当てられた第２配置空間との距離が３ｍである場合、第１目的地の加重値を３に決定し、第２目的地の加重値を１に決定することができる。一方、配置空間との距離は、例えば目的地から配置空間までの最も短い距離を含むことができるが、これに制限されるものではない。
【００５５】
実施形態において、プロセッサー３２０は、複数の目的地に関連した情報に基づいて、複数の目的地のそれぞれの位置を確認することができる。プロセッサー３２０は、確認された位置とあらかじめ指定された位置を比較することに基づいて複数の目的地のそれぞれに対する加重値を決定することができる。あらかじめ指定された位置は、例えば商品の入庫位置、商品の出庫位置または物流センター内特定位置（例：物流センター１階の任意の地点）を含むことができる。ここで、商品の入庫位置は、商品が物流センターに入庫される特定地点を含み、商品の出庫位置は、商品が物流センターから出庫される特定地点を含むことができる。
【００５６】
あらかじめ指定された位置に関連した加重値の算出方式は、あらかじめ指定され得る。一例として、あらかじめ指定された位置が商品の入庫位置を含む場合、プロセッサー３２０は、目的地の位置と商品の入庫位置との間の距離に反比例して加重値を決定することができる。他の例として、あらかじめ指定された位置が商品の出庫位置を含む場合、プロセッサー３２０は、目的地の位置と商品の入庫位置との間の距離に比例して加重値を決定することができる。さらに他の例として、あらかじめ指定された位置が物流センター内の特定位置を含む場合、プロセッサー３２０は、目的地の位置と特定位置との間の距離に比例して加重値を決定することができる。
【００５７】
より具体的には、例えば、第１目的地と商品の入庫位置との間の距離が５ｍであり、第２目的地と商品の入庫位置との間の距離が１ｍである場合、プロセッサー３２０は、第１目的地に対する加重値を１に決定し、第２目的地に対する加重値を５に決定することができる。
【００５８】
実施形態において、プロセッサー３２０は、複数の目的地に関連した情報のうちの少なくとも一部を総合的に考慮して加重値を決定することができる。例えば、プロセッサー３２０は、複数の目的地のそれぞれに割り当てられた作業者の数および複数の目的地それぞれの配置空間のサイズのそれぞれに対する加重値を総合的に考慮して加重値を決定することができる。より具体的には、例えば、プロセッサー３２０は、複数の目的地のそれぞれに割り当てられた作業者の数に基づいて第１目的地に対して決定された加重値が１であり、複数の目的地のそれぞれの配置空間のサイズに基づいて第１目的地に対して決定された加重値が２である場合、各加重値を合わせて第１目的地に対して決定される最終加重値を３に決定することができる。ただし、最終加重値の算出方式は、上述した合算方法に制限されるものではなく、多様な方法、例えば掛け算方式が用いられ得る。
【００５９】
実施形態において、加重値は、ユーザの入力に基づいて決定され得る。具体的には、プロセッサー３２０は、複数の目的地のそれぞれに対する加重値を設定するユーザの入力を受信することができる。プロセッサー３２０は、受信された入力に基づいて複数の目的地のそれぞれに対する加重値を決定することができる。このような場合、プロセッサー３２０は、加重値を設定する入力の受信のためにＵＩを提供することができ、これに対する具体的な例は、図１０を参照することができる。
【００６０】
実施形態において、プロセッサー３２０は、商品に関する情報を獲得することができる。プロセッサー３２０は、複数の目的地に関連した情報および商品に関する情報のうちの少なくとも1つに基づいて、複数の目的地のうち商品に関連した目的地を決定し、決定された目的地のそれぞれに対する加重値を確認することができる。ここで、商品に関する情報は、他の電子装置を介して商品が認識されることに基づいて生成された情報であり得、例えば、商品名、数量、商品のサイズ、および商品の人気度のうちの少なくとも１つに関する情報を含むことができるが、これに制限されるものではない。
【００６１】
一例として、プロセッサー３２０は、商品に関する情報に基づいて、商品のサイズを確認することができる。商品のサイズが第１サイズである場合、プロセッサー３２０は、複数の目的地のうち第１サイズ以上の空間を含む配置空間に関連した目的地を確認し、確認された配置空間に対して複数の目的地に関する情報に基づいて、加重値を決定することができる。
【００６２】
他の例として、プロセッサー３２０は、商品に関する情報に基づいて、商品の人気度を示す値を確認することができる。商品の人気度を示す値ごとに目的地が指定され得、このような場合、プロセッサー３２０は、人気度に対応して指定された少なくとも１つの目的地を確認することができる。プロセッサー３２０は、確認された少なくとも１つの目的地に対して複数の目的地に関する情報に基づいて、加重値を決定することができる。ここで、加重値の決定は、上述した多様な方法が用いられる。
【００６３】
一方、実施形態において、プロセッサー３２０は、電子装置３００と連結される他の電子装置（例：ユーザ端末）から商品に関する情報を受信することによって、商品に関する情報を獲得することができる。このような場合、商品に関する情報は、他の電子装置で商品が認識されることに基づいて他の電子装置により生成され得る。例えば、他の電子装置が商品に対して指定されたバーコードを認識することに基づいて商品に関する情報が生成され得るが、このような例に制限されるものではない。
【００６４】
プロセッサー３２０は、商品を確認することに対応して、確認された加重値に基づいて、複数の目的地のうち商品の配置が行われる目的地を決定することができる。プロセッサー３２０は、コンベヤにより運搬される商品が確認されると、上述した動作により確認された加重値に基づいて、複数の目的地のうち確認された商品の配置のための目的地を決定することができる。
【００６５】
例えば、プロセッサー３２０は、コンベヤにより運搬される商品の準備が確認されることに基づいて確認された加重値に基づいて、複数の目的地のうち商品の配置が行われる目的地を決定することができる。商品の準備の確認は、例えば、ユーザの入力により、またはコンベヤに含まれるセンサーの認識により行われ得る。
【００６６】
実施形態において、プロセッサー３２０は、商品を確認することに対応して、複数の目的地のうち加重値が最も高い目的地を商品の配置が行われる目的地として決定することができる。例えば、プロセッサー３２０は、第１目的地の加重値が１であり、第２目的地の加重値が２である場合、商品が運搬される目的地を第２目的地に決定することができる。
【００６７】
場合によって、プロセッサー３２０により確認される商品は、少なくとも１つの商品を含むトート（ｔｏｔｅ）に対応することができる。トートは、少なくとも１つの商品を入れるかご形態の物体であり得る。このような場合、配置空間に対する配置は、トート単位で行われ得る。
【００６８】
実施形態において、プロセッサー３２０は、複数の目的地のそれぞれの加重値およびカウンタ値に基づいて、商品の配置が行われる目的地を決定することができる。ここで、カウンタ値は、商品の運搬に基づいて変更される値であり得る。より具体的には、カウンタ値に対応する目的地に商品の運搬が確認されることに対応して増加する値であり得る。例えば、カウンタ値は、商品が運搬される目的地が決定されることに対応して増加する値でありうる。
【００６９】
具体的には、プロセッサー３２０は、複数の目的地間の加重値を比較した結果、ならびに複数の目的地のそれぞれに対して加重値およびカウンタ値を比較した結果に基づいて、商品の配置が行われる目的地を決定することができる。
【００７０】
例えば、プロセッサー３２０は、複数の目的地のうち加重値がカウンタ値より高い目的地のうち最も高い加重値を有する目的地を商品の配置が行われる目的地として決定することができる。場合によって、複数の目的地のうち最も高い加重値を有する第１目的地のカウンタ値が前記第１目的地の加重値と同一であってもよい。このような場合、プロセッサー３２０は、第１目的地の次に加重値が高い第２目的地を確認することができる。プロセッサー３２０は、確認された第２目的地の加重値がカウンタ値より高い場合、第２目的地を商品の配置が行われる目的地として決定することができる。これに関連したより具体的な例は、図７および図８を参照することができる。
【００７１】
実施形態において、プロセッサー３２０は、商品の運搬に対応して商品が運搬されるように決定された目的地の加重値を変更することができる。例えば、プロセッサー３２０は、加重値が３である第１目的地を商品が運搬される目的地として決定した場合、商品の運搬が始まるか、商品の運搬が完了することに対応して、第１目的地の加重値を２に変更することができる。加重値の変更程度は、あらかじめ指定され得、本実施形態に制限されない。
【００７２】
実施形態において、物流センターは、商品の配置が可能な複数の区域に区分され得、複数の区域のそれぞれには、複数の目的地が含まれ得る。このような場合、プロセッサー３２０は、複数の区域のうちの１つの区域を選択する入力を受信することができる。プロセッサー３２０は、入力の受信に対応して、選択された１つの区域に含まれた複数の目的地を確認することができる。
【００７３】
実施形態において、区域を選択する入力は、電子装置３００に加えられる。例えば、電子装置３００は、入力装置をさらに含むことができ、このような入力装置を介して前記の入力が受信され得る。場合によって、電子装置３００は、区域を選択する入力に関する情報を他の電子装置から獲得し、獲得された情報に基づいて、選択された１つの区域に含まれた複数の目的地を確認することができる。ここで、他の電子装置は、例えば電子装置３００と有線または無線で連結されるユーザ端末（または作業者端末）を含むことができる。
【００７４】
プロセッサー３２０は、決定された目的地に商品が運搬されるようにコンベヤを制御することができる。具体的には、プロセッサー３２０は、制御信号を生成してコンベヤに送信することによって、決定された目的地に商品が運搬されるようにコンベヤを制御することができる。ここで、コンベヤは、電子装置３００に含まれたり、電子装置３００と連結されて、商品を目的地に移動させる構成要素でありうる。コンベヤは、例えばコンベヤベルト、ローラーコンベヤ、トロリーコンベヤ（ｔｒｏｌｌｅｙ  ｃｏｎｖｅｙｏｒ）、およびホイールコンベヤを含むことができるが、これに制限されるものではなく、商品をいずれかの位置から他の位置に運搬する多様な構成または装置で具現され得る。例えば、コンベヤは、商品を運搬するロボットであり得る。
【００７５】
図４は、一実施形態に係るコンベヤを制御する方法のフローチャートである。図４に示された方法の各段階は、場合によって、図面に示されたところとその順序を異にして行われ得ることはもちろんである。以下の図面に対する説明では、図３と重複する内容が省略され得る。
【００７６】
図４を参照すると、段階４１０で、電子装置は、複数の目的地に関連した情報を獲得することができる。複数の目的地は、コンベヤにより商品が運搬される位置であり、あらかじめ決定されたものであり得る。目的地に運搬された商品は、目的地に関連した配置空間に配置され得る。
【００７７】
複数の目的地に関連した情報は、複数の目的地のそれぞれに割り当てられた作業者の数、複数の目的地それぞれの配置空間のサイズ、複数の目的地別の目的地と配置空間との間の距離、および複数の目的地それぞれの位置のうちの、少なくとも１つに関する情報を含むことができる。
【００７８】
段階４２０で、電子装置は、獲得された情報に基づいて、複数の目的地それぞれに対する加重値を確認することができる。ここで、加重値は、あらかじめ指定されたり、ユーザの入力により指定され得る。場合によって、加重値は、複数の目的地に関連した情報を基礎として決定され得る。
【００７９】
実施形態において、電子装置は、複数の目的地のそれぞれに割り当てられた作業者の数または配置空間のサイズを確認し、確認された作業者の数または配置空間のサイズに比例して複数の目的地のそれぞれに対する加重値を決定することができる。
【００８０】
他の実施形態において、電子装置は、複数の目的地別に割り当てられた配置空間との距離を確認し、確認された距離に反比例して加重値を決定することができる。
【００８１】
さらに他の実施形態において、電子装置は、複数の目的地のそれぞれの位置と既指定の位置との間の距離を確認し、確認された距離に基づいて、前記複数の目的地それぞれに対する加重値を決定することができる。ここで、既指定の位置は、例えば商品の入庫位置または商品の出庫位置を含むことができる。
【００８２】
実施形態において、電子装置は、商品に関する情報を獲得することができる。このような場合、電子装置は、複数の目的地に関連した情報および商品に関する情報のうちの少なくとも１つに基づいて、複数の目的地のうち商品に関連した目的地を決定し、決定された目的地のそれぞれに対する加重値を確認することができる。ここで、商品に関する情報は、他の電子装置を介して商品が認識されることに基づいて生成された情報であり得、例えば商品名、数量、商品のサイズ、および商品の人気度のうちの少なくとも１つに関する情報を含むことができるが、これに制限されるものではない。
【００８３】
一例として、電子装置は、商品に関する情報に基づいて、商品のサイズを確認することができる。商品のサイズが第１サイズである場合、電子装置は、複数の目的地のうち第１サイズ以上の空間を含む配置空間に関連した目的地を確認し、確認された配置空間に対して複数の目的地に関する情報に基づいて、加重値を決定することができる。
【００８４】
他の例として、電子装置は、商品に関する情報に基づいて、商品の人気度を示す値を確認することができる。商品の人気度を示す値ごとに目的地が指定され得、このような場合、電子装置は、人気度に対応して指定された少なくとも１つの目的地を確認することができる。電子装置は、確認された少なくとも１つの目的地に対して複数の目的地に関する情報に基づいて、加重値を決定することができる。ここで、加重値の決定は、上述した多様な方法が用いられ得る。
【００８５】
段階４３０で、電子装置は、確認された加重値に基づいて、複数の目的地のうち商品の配置が行われる目的地を決定することができる。電子装置は、複数の目的地のそれぞれの加重値およびカウンタ値のうちの少なくとも１つに基づいて、商品の配置が行われる目的地を決定することができる。
【００８６】
実施形態において、電子装置は、複数の目的地間の加重値を比較した結果、ならびに複数の目的地のそれぞれに対して加重値およびカウンタ値を比較した結果に基づいて、商品の配置が行われる目的地を決定することができる。
【００８７】
一例として、電子装置は、複数の目的地のうち加重値が最も高い目的地を商品の配置が行われる目的地として決定することができる。
【００８８】
他の例として、電子装置は、複数の目的地のうち加重値がカウンタ値より高い目的地のうち最も高い加重値を有する目的地を商品の配置が行われる目的地として決定することができる。場合によって、複数の目的地のうち最も高い加重値を有する第１目的地のカウンタ値が、前記第１目的地の加重値と同一であってもよい。このような場合、電子装置は、第１目的地の次に加重値が高い第２目的地を確認することができる。電子装置は、確認された第２目的地の加重値がカウンタ値より高い場合、第２目的地を商品の配置が行われる目的地として決定することができる。
【００８９】
段階４４０で、電子装置は、決定された目的地に商品が運搬されるようにコンベヤを制御することができる。電子装置は、制御信号の送信に基づいて複数の目的地のうち決定された目的地に商品が運搬されるようにコンベヤを制御することができる。例えば、電子装置は、決定された目的地に商品が運搬されるようにする制御信号を生成して、コンベヤに送信することによって、コンベヤを制御することができる。
【００９０】
図５は、他の実施形態に係るコンベヤを制御する方法のフローチャートである。具体的には、図５は、図４の段階４３０の一例を具体的に説明するための図である。
【００９１】
図５を参照すると、段階５１０で、電子装置は、カウンタ値を確認することができる。電子装置は、複数の目的地のそれぞれに対するカウンタ値を確認することができる。ここで、カウンタ値は、目的地ごとに設定され、商品の運搬に基づいて変更される値であって、例えば目的地への商品の運搬が確認されることに対応して増加する値であり得る。
【００９２】
段階５２０で、電子装置は、複数の目的地のそれぞれの加重値およびカウンタ値に基づいて、商品の配置が行われる目的地を決定することができる。
【００９３】
実施形態において、電子装置は、複数の目的地間の加重値を比較した結果、および複数の目的地のそれぞれに対して加重値およびカウンタ値を比較した結果に基づいて、商品の配置が行われる目的地を決定することができる。
【００９４】
例えば、電子装置は、複数の目的地間の加重値を比較した結果、ならびに複数の目的地のそれぞれに対して加重値およびカウンタ値を比較した結果に基づいて、複数の目的地のうち加重値がカウンタ値より高い目的地のうち最も高い加重値を有する目的地を商品の配置が行われる目的地として決定することができる。
【００９５】
図６は、さらに他の実施形態に係るコンベヤを制御する方法のフローチャートである。具体的には、図６は、図５の段階５２０の一例を具体的に説明するための図である。
【００９６】
図６を参照すると、段階６１０で、電子装置は、複数の目的地のうち最も高い加重値を有する第１目的地のカウンタ値が第１目的地の加重値と同じ場合、第１目的地の次に加重値が高い第２目的地を確認することができる。
【００９７】
具体的には、電子装置は、複数の目的地のそれぞれの加重値とカウンタ値の確認に基づいて、複数の目的地のうち最も高い加重値を有する第１目的地を確認することができる。電子装置は、第１目的地の加重値がカウンタ値と同一であるか否かを確認し、もし第１目的地の加重値がカウンタ値と同一である場合、第１目的地の次に加重値が高い第２目的地を確認することができる。
【００９８】
実施形態において、電子装置は、第１目的地の電子装置は、複数の目的地のうち最も高い加重値を有する第１目的地のカウンタ値が第１目的地の加重値に対応するか否かを確認することができる。加重値別に対応するカウンタ値は、あらかじめ指定され得る。例えば、加重値１は、カウンタ値２に対応し、加重値２は、カウンタ値４に対応することができる。電子装置は、第１目的地のカウンタ値が第１目的地の加重値に対応する場合、第１目的地の次に加重値が高い第２目的地を確認することができる。
【００９９】
段階６２０で、電子装置は、第２目的地の加重値がカウンタ値より高い場合、第２目的地を商品の配置が行われる目的地として決定することができる。具体的には、電子装置は、第２目的地を確認することに対応して第２目的地の加重値がカウンタ値より高いか否かを確認することができる。電子装置は、第２目的地の加重値がカウンタ値より高い場合、第２目的地を商品の配置が行われる目的地として決定することができる。
【０１００】
実施形態において、電子装置は、第２目的地の加重値がカウンタ値に対応する加重値より高い場合、第２目的地を商品の配置が行われる目的地として決定することができる。例えば、第２目的地のカウンタ値が２であり、カウンタ値２に対応する加重値が１である場合、電子装置は、第２目的地の加重値が１を超過することに対応して第２目的地を商品の配置が行われる目的地として決定することができる。
【０１０１】
図７および図８は、一実施形態に係るコンベヤを制御する方法において目的地を決定する段階を説明するための図である。
【０１０２】
図７を参照すると、本開示の一実施形態に係る複数の目的地は、第１目的地、第２目的地、および第３目的地を含むことができる。第１目的地の加重値は、３であり、第２目的地の加重値は、２であり、第３目的地の加重値は、１であり得る。第１目的地のカウンタ値は、３であり、第２目的地および第３目的地のそれぞれのカウンタ値は、０であり得る。
【０１０３】
このような場合、電子装置は、加重値が最も高い第１目的地を確認し、第１目的地の加重値とカウンタ値を比較することができる。図７で、第１目的地の加重値は、カウンタ値に対応するが、このような場合、電子装置は、第１目的地の次に加重値が高い目的地を確認することができる。すなわち、電子装置は、第１目的地の次に加重値が高い目的地である第２目的地を確認することができる。
【０１０４】
電子装置は、第２目的地を確認すると、第２目的地の加重値がカウンタ値より高いか否かを確認することができる。図示のように、第２目的地の加重値は、カウンタ値より高いので、電子装置は、商品が移動する目的地として第２目的地を決定することができる。
【０１０５】
図８を参照すると、第１目的地の加重値は、３であり、第２目的地の加重値は、３であり、第３目的地の加重値は、１であり得る。第１目的地のカウンタ値は、１であり、第２目的地のカウンタ値は、２であり、第３目的地のカウンタ値は、０であり得る。
【０１０６】
図８を参照すると、最も高い加重値を有する目的地は、複数でありうる。すなわち、電子装置は、最も高い加重値を有する第１目的地および第２目的地を確認することができる。このような場合、電子装置は、第１目的地および第２目的地のうち加重値がカウンタ値よりさらに高い目的地を確認し、確認された目的地を商品が運搬される目的地として決定することができる。
【０１０７】
一例として、電子装置は、第１目的地の加重値とカウンタ値を比較し、第２目的地の加重値とカウンタ値を比較することができる。この際、第１目的地および第２目的地のそれぞれの加重値は、それぞれのカウンタ値より高いことがあるが、このような場合、電子装置は、加重値とカウンタ値の差異がさらに大きい目的地を商品が運搬される目的地として決定することができる。すなわち第１目的地と第２目的地のうち加重値とカウンタ値の差異がさらに大きい第１目的地を商品が運搬される目的地として決定することができる。
【０１０８】
他の例として、電子装置は、加重値とカウンタ値の差異がさらに小さい目的地を商品が運搬される目的地として決定することができる。このような場合、電子装置は、第１目的地と第２目的地のうち加重値とカウンタ値の差異がさらに小さい第２目的地を商品が運搬される目的地として決定することができる。
【０１０９】
図９および図１０は、一実施形態に係る電子装置において加重値設定のために表示されるＵＩ（ｕｓｅｒ  ｉｎｔｅｒｆａｃｅ）を示す図である。
【０１１０】
具体的には、図９と図１０は、加重値の設定がユーザの入力に基づいて行われる場合、ユーザの入力を獲得するために提供されるＵＩの例を示す。図９と図１０は、電子装置に直接表示されることも可能であるが、電子装置と有線または無線で連結される他の電子装置、例えばユーザ端末に表示されることも可能である。
【０１１１】
図９を参照すると、電子装置は、第１画面９００を介してユーザから加重値を設定する区域を選択する入力を獲得することができる。ここで、区域は、本開示の実施形態に係る複数の目的地を含む区域であって、物流センター内のあらかじめ設定された区域であり得る。
【０１１２】
例えば、電子装置は、Ａ区域、Ｂ区域、Ｃ区域、およびＤ区域のうちの１つを選択する入力を獲得することができる。入力は、第１画面９００が表示されるディスプレイに対するタッチ入力を含むことができるが、これに制限されるものではない。電子装置は、第１画面９００に含まれる確認ボタン９１０に対する入力が受信されると、選択された区域の加重値の設定のために、図１０のような第２画面１０１０を提供することができる。
【０１１３】
図１０は、加重値を設定する区域としてＡ区域が選択された場合に表示される画面の例を示す。図１０を参照すると、第２画面１０１０の上段には、加重値を設定する区域に関する情報、例えば区域の名称が表示され得る。
【０１１４】
第２画面１０１０は、目的地別の加重値設定のための設定画面であって、電子装置は、第２画面１０１０に示される加重値に対応する数字、例えば図１０の１、２、１に該当する数字の入力を受信することができる。数字の入力は、例えば、数字に対応するテキスト入力を含むことができる。
【０１１５】
電子装置は、目的地別の加重値に対応する数字の入力が受信され、加重値設定ボタン１０２０に対する入力が受信されると、目的地別の加重値に対応する数字で加重値を設定することができる。
【０１１６】
実施形態によって、物流センターは、１つの区域からなり得る。このような場合、図９に示した第１画面９００の提供は省略され得る。
【０１１７】
図１１は、一実施形態に係る電子装置において目的地に関連した情報の獲得のために表示されるＵＩを示す図である。
【０１１８】
具体的には、図１１は、加重値が目的地に関連した情報に基づいて決定され、目的地に関連した情報がユーザの入力に基づいて獲得される場合、複数の目的地のうちの第１目的地に関連した情報の獲得のために提供されるＵＩの例を示す。図１１は、電子装置に直接表示されることも可能であるが、電子装置と有線または無線で連結される他の電子装置、例えばユーザ端末に表示されることも可能である。
【０１１９】
図１１を参照すると、第３画面１１００を介して第１目的地に関連した情報（例：作業者の数、配置空間のサイズ、目的地と配置空間との間の距離）が獲得され得る。例えば、第３画面１１００の作業者の数、配置空間のサイズ、目的地と配置空間の距離それぞれに対応する欄に入力される数字に基づいて、第１目的地に関連した情報が獲得され得る。
【０１２０】
例えば、第３画面１１００のように作業者の数、配置空間のサイズ、目的地と配置空間の距離に対する値が入力され、確認ボタン１１１０に対する入力が受信されると、作業者の数は５人、配置空間のサイズは２０ｍ２、目的地と配置空間との距離は１ｍに決定され得る。ここで、各数字の単位は、あらかじめ指定され得る。
【０１２１】
図示してはいないが、複数の目的地のそれぞれに対して第３画面１１００のような画面が提供され得、提供される画面に対する入力に基づいて、複数の目的地に関連した情報が獲得され得る。しかしながら、これに制限されるものではなく、複数の目的地に関連した情報（例：配置空間のサイズ）のうちの少なくとも一部は、あらかじめ電子装置のメモリに保存されていてもよい。
【０１２２】
図１２は、一実施形態に係る電子装置により運搬される商品の区域選択のために他の電子装置に表示されるＵＩを示す図である。具体的には、図１２は、入庫される商品が配置される区域の選択のために電子装置と連結されるユーザ端末１２００に提供されるＵＩの例を示す。
【０１２３】
図１２を参照すると、ユーザ端末１２００には、入庫された商品の情報（例：商品の写真）、および商品の配置が可能な区域（例：Ａ区域、Ｂ区域、Ｃ区域、Ｄ区域）に関する情報１２１０が表示され得る。このような情報は、ユーザ端末１２００を介して商品が認識されることに基づいてユーザ端末１２００のディスプレイに表示され得る。
【０１２４】
実施形態において、ユーザ端末１２００は、区域に関する情報１２１０のうちの１つを選択する入力を受信することができる。ユーザ端末１２００は、確認ボタン１２２０に対する入力に基づいて、区域に関する情報１２１０のうち入力により選択された区域に関する情報を電子装置に伝送することができる。電子装置は、伝送された情報に基づいて、当該区域内に商品が運搬される目的地を決定し、商品が決定された目的地に運搬されるようにすることができる。商品の運搬については、上述したところ、具体的な説明は省略する。
【０１２５】
実施形態によって、図１２に示されたＵＩは、電子装置に直接的に表示されることも可能である。このような場合、区域を選択する入力および確認ボタン１２２０に対する入力は、電子装置に対する入力を通じて受信され得る。
【０１２６】
図１３は、他の実施形態に係る電子装置において運搬される商品の区域選択のために表示されるＵＩを示す図である。
【０１２７】
図１３を参照すると、第４画面１３００には、配置のための商品１３１０に関連した多様な情報が含まれ得る。例えば、商品１３１０に関連した多様な情報は、商品の写真、商品のサイズ、商品の人気度、製造日付、消費期限、および商品名に関する情報を含むことができる。しかしながら、これに制限されるものではなく、商品１３１０に関連した多様な情報は、図１３に表示された多様な情報またはその他に表示可能な多様な情報を含むことができる。
【０１２８】
第４画面１３００は、商品１３１０が配置される区域を選択する選択領域１３２０を含むことができる。選択領域１３２０に表示される複数の区域（例：Ａ区域、Ｂ区域、Ｃ区域、Ｄ区域）のうちの１つが選択され、入庫ボタン１３３０に対する入力が受信されると、電子装置は、選択された区域内から商品１３１０が配置される目的地を決定し、決定された目的地に商品１３１０が運搬されるようにすることができる。
【０１２９】
実施形態によって第４画面１３００は、電子装置に含まれるディスプレイに表示されることも可能であるが、これに制限されず、図１２のように電子装置と連結される他の電子装置（例：ユーザ端末）に表示されることも可能である。このような場合、他の電子装置のユーザの入力に基づいて、配置される商品がスキャンされることに基づいて区域の選択が行われ得る。電子装置は、他の電子装置から選択された区域に関する情報を獲得し、獲得された情報を用いて商品を運搬することができる。
【０１３０】
本開示によれば、コンベヤを制御する方法およびそのための電子装置は、複数の目的地に関連した情報に基づいて、商品を複数の目的地のそれぞれに運搬できるところ、商品の配置がより効率的に行われるようにすることができる。例えば、コンベヤを制御する方法およびそのための電子装置は、目的地にマッチングされる配置空間のサイズに対応して目的地に商品が運搬されるようにすることによって、商品がより効率的に配置されるようにすることができる。
【０１３１】
また、コンベヤを制御する方法およびそのための電子装置は、複数の目的地のそれぞれに対する商品の運搬を相異するように設定できるところ、商品の運搬を効果的に制御することができる。例えば、コンベヤを制御する方法およびそのための電子装置は、ユーザの入力に基づいて、複数の目的地のそれぞれに対する商品の運搬を自動で制御することによって、ユーザの商品運搬に対する便宜を向上させることができる。
【０１３２】
前述した実施形態に係る電子装置は、プロセッサー、プログラムデータを保存し実行するメモリ、ディスクドライブのような永久保存部（ｐｅｒｍａｎｅｎｔ  ｓｔｏｒａｇｅ）、外部装置と通信する通信ポート、タッチパネル、キー（ｋｅｙ）、ボタン等のようなユーザインタフェース装置等を含むことができる。ソフトウェアモジュールまたはアルゴリズムで具現される方法は、前記プロセッサー上で実行可能なコンピュータが読み取り可能なコードまたはプログラム命令にてコンピュータが読み取り可能な記録媒体上に保存され得る。ここで、コンピュータが読み取り可能な記録媒体として、磁気記憶媒体（例えば、ＲＯＭ（ｒｅａｄ−ｏｎｌｙ  ｍｅｍｏｒｙ）、ＲＡＭ（ｒａｎｄｏｍ−Ａｃｃｅｓｓ  ｍｅｍｏｒｙ）、フロッピーディスク、ハードディスク等）および光学的読み取り媒体（例えば、ＣＤ−ＲＯＭ、ＤＶＤ(Ｄｉｇｉｔａｌ  Ｖｅｒｓａｔｉｌｅ  Ｄｉｓｃ））等がある。コンピュータが読み取り可能な記録媒体は、ネットワークで連結されたコンピュータシステムに分散して、分散方式でコンピュータで読み取り可能なコードが保存され実行され得る。媒体は、コンピュータにより読み取り可能であり、メモリに保存され、プロセッサーで実行され得る。
【０１３３】
本実施形態は、機能的なブロック構成および多様な処理段階で示される。このような機能ブロックは、特定の機能を実行する多様な個数のハードウェアまたは／およびソフトウェア構成で具現され得る。例えば、実施形態は、１つ以上のマイクロプロセッサーの制御または他の制御装置により多様な機能を実行できる、メモリ、プロセッシング、ロジック（ｌｏｇｉｃ）、ルックアップテーブル（ｌｏｏｋ−ｕｐ  ｔａｂｌｅ）等のような直接回路構成を採用することができる。構成要素がソフトウェアプログラミングまたはソフトウェア要素で実行され得ることと同様に、本実施形態は、データ構造、プロセス、ルーチンまたは他のプログラミング構成の組合せで具現される多様なアルゴリズムを含み、Ｃ、Ｃ＋＋、ジャバ（Ｊａｖａ（登録商標））、アセンブラ（ａｓｓｅｍｂｌｅｒ）等のようなプログラミングまたはスクリプト言語で具現され得る。機能的な側面は、１つ以上のプロセッサーで実行されるアルゴリズムで具現され得る。また、本実施形態は、電子的な環境設定、信号処理、および／またはデータ処理等のために従来技術を採用することができる。「メカニズム」、「要素」、「手段」、「構成」のような用語は、広く使用され得、機械的および物理的な構成に限定されるものではない。前記用語は、プロセッサー等と連係してソフトウェアの一連の処理（ｒｏｕｔｉｎｅｓ）の意味を含むことができる。
【０１３４】
前述した実施形態は、１つの例示に過ぎず、後述する請求項の範囲内で他の実施形態が具現され得る。
【図１】
0006977118.tif 000002
【図２】
0006977118.tif 000003
【図３】
0006977118.tif 000004
【図４】
0006977118.tif 000005
【図５】
0006977118.tif 000006
【図６】
0006977118.tif 000007
【図７】
0006977118.tif 000008
【図８】
0006977118.tif 000009
【図９】
0006977118.tif 000010
【図１０】
0006977118.tif 000011
【図１１】
0006977118.tif 000012
【図１２】
0006977118.tif 000013
【図１３】
0006977118.tif 000014